(57)【特許請求の範囲】
【請求項１】
少なくとも２つのサポートノードを備え、少なくとも１つのサポートノードはアクセスノード(SGSN)であり、そして少なくとも１つのサポートノードはゲートウェイノード(GGSN)であるパケット無線ネットワークにおいて移動ステーション(MS)のインターネットプロトコル型即ちＩＰ型移動サービスを提供する方法において、
ＩＰアドレスを有する外部エージェント(FA)を上記パケット無線ネットワークにインストールし、
上記外部エージェント(FA)を上記サポートノード(SGSN;GGSN)の一方に一体化し、
パケット無線ネットワークにおいて特定のゲートウェイノードのサービスを要求するためにサポートノードによって使用されるサービス要求情報を移動ステーションからサポートノードが受信し、
移動ステーション(MS)に対するケア・オブ・アドレス(COA)を与え、そして
上記外部エージェント(FA)の、又はそれによって与えられるＩＰアドレスを、移動ステーション(MS)のケア・オブ・アドレス(COA)として使用する、
という段階を含むことを特徴とする方法。
【請求項２】
外部エージェント(FA)をアクセスノード(SGSN)に一体化する請求項１に記載の方法。
【請求項３】
外部エージェント(FA)をゲートウェイノード(GGSN)に一体化する請求項１に記載の方法。
【請求項４】
サポートノードは、アクセスポイント名を移動ステーション(MS)から、アタッチ手順に関連して、受信する請求項１ないし３のいずれかに記載の方法。
【請求項５】
移動ステーション(MS)は、アクセスポイント名(APN)をアクセスノード(SGSN)へ送信し、そしてアクセスノードは、それをゲートウェイノード(GGSN)に送信する請求項４に記載の方法。
【請求項６】
パケット無線ネットワークのホーム位置レジスタ(HLR)は、当該移動ステーション又はその加入者が上記ＩＰ型移動サービスを利用できるかどうかに関する情報を記憶する請求項１ないし５のいずれかに記載の方法。
【請求項７】
移動ステーション(MS)は、登録に関連して、上記ＩＰ型移動サービスの利用を要求するかどうかを、パケット無線ネットワークに通知する請求項１ないし６のいずれかに記載の方法。
【請求項８】
移動ステーション(MS)のＩＰ型移動サービスを提供するシステムであって、少なくとも２つのサポートノードを備え、少なくとも１つのサポートノードはアクセスノード(SGSN)であり、そして少なくとも１つのサポートノードはゲートウェイノード(GGSN)であるシステムにおいて、
移動ステーション(MS)のケア・オブ・アドレス(COA)と、
ＩＰアドレスを有し、サポートノード(SGSN;GGSN)の１つに一体化される外部エージェント(FA)とを備え、
上記外部エージェント(FA)のＩＰアドレスは、移動ステーション(MS)のケア・オブ・アドレス(COA)でもあり、
少なくとも一つのサポートノードは、アクセスポイント名を移動ステーションから受信し、当該アクセスポイント名は、特定のインターネットサービスプロバイダに特定のゲートウェイを介して要求するために使用される移動ＩＰアドレス及びオペレータの名前を含む論理的な名前であることを特徴とするシステム。
【請求項９】
上記外部エージェント(FA)は、アクセスノード(SGSN)の１つに一体化される請求項８に記載のシステム。
【請求項１０】
上記外部エージェント(FA)は、ゲートウェイノード(GGSN)の１つに一体化される請求項８に記載のシステム。
【請求項１１】
移動ステーション(MS)の移動サービスを提供するように構成されたパケット無線ネットワーク用のサポートノード(GGSN,SGSN)であって、サポートノード(GGSN)が少なくともＩＰ型プロトコルをサポートし、サポートノード(GGSN,SGSN)は、ＩＰアドレスを有する一体化された外部エージェント(FA)を備え、そして上記外部エージェント(FA)の、又はそれによって与えられるＩＰアドレスを、移動ステーション(MS)のケア・オブ・アドレス(COA)として使用し、
サポートノードは、アクセスポイント名を移動ステーションから受信し、当該アクセスポイント名は、特定のインターネットサービスプロバイダに特定のゲートウェイを介して要求するために使用される移動ＩＰアドレス及びオペレータの名前を含む論理的な名前であることを特徴とするサポートノード。
【発明の詳細な説明】
【０００１】
【技術分野】
本発明は、ＧＰＲＳ又はＵＭＴＳのようなパケット無線ネットワークにおいてインターネット型プロトコルに対する移動を与える機構に係る。このようなインターネット型移動プロトコルの一例がＩＰ移動（ＩＰ＝インターネットプロトコル）であり、これは、インターネット・エンジニアリング・タスク・フォース（ＩＥＴＦ）による規格ＲＦＣ２００２ないしＲＦＣ２００４及びＲＦＣ２２９０の主題である。これらのＲＦＣ規格は、参考としてここに取り上げる。手短に言えば、ＩＰ移動とは、ＩＰアドレスを用いて移動ユーザにテレコミュニケーション能力を与える機構である。これは、移動ノードが、それらのＩＰアドレスを変更せずに、インターネットにおけるそれらのアタッチメントポイントを変更できるようにする。従って、移動ノード及び対応ホストと、移動ノードのホームアドレスとの通信を容易にする。図１は、本発明に係るパケット無線ネットワークの幾つかの要素を示す。
【０００２】
【背景技術】
本明細書において、「ネットワークアクセスサーバ（ＮＡＳ）」とは、ユーザに一時的なオン・デマンドのネットワークアクセスを与える装置を意味する。このアクセスは、電話、ＩＳＤＮ、又はセルラー接続等を用いたポイント対ポイントである。「移動ノード（ＭＮ）」とは、ポイント対ポイントリンク（電話線、ＩＳＤＮ等）によりホームネットワークに存在しないＮＡＳに物理的に接続される間にホームネットワークアドレスを使用しようとするホストを指す。「移動ステーション（ＭＳ）」とは、ネットワークへの無線インターフェイスを有する移動ノードである。「トンネル」とは、カプセル化されたときにデータグラムがたどる経路である。トンネルのモデルは、カプセル化された間に、データグラムが既知のカプセル化解除エージェントへルート指定され、このエージェントがデータグラムをカプセル化解除し、そしてそれを最終的な行先に正しく供給するというものである。ホームエージェントに接続される各移動ノードは、所与の外部エージェント／ホームエージェント対にとって独特のトンネル識別子により識別される独特のトンネルを経て進行する。
【０００３】
「ホームネットワーク」とは、ユーザが論理的に属しているＩＰネットワークである。物理的には、例えば、ルータを経てインターネットに接続されたローカルエリアネットワーク（ＬＡＮ）である。「ホームアドレス」とは、長時間にわたり移動ノードに指定されたアドレスである。これは、ＭＮがインターネットにアタッチされる場所に関わりなく不変に保持される。或いは又、アドレスのプールから指定することもできる。「ホームエージェント」とは、移動ノードがホームから離れているときに移動ノードに供給するためにパケットをトンネル化し、そして移動ノードの現在位置情報を維持する移動ノードのホームネットワークのルート指定エンティティである。ホームエージェントは、移動ノードがホームから離れているときに移動ノードに供給するようにデータグラムをトンネル化しそして移動ノードからのデータグラムをトンネル解除する。
【０００４】
「外部エージェント」とは、移動ノードが登録されている間に移動ノードにルート指定サービスを提供し、従って、移動ノードがそのホームネットワークアドレスを利用できるようにする移動ノードの訪問先ネットワークのルート指定エンティティを指す。外部エージェントは、移動ノードのホームエージェントによりトンネル化されたパケットをトンネル解除しそして移動ノードへ供給する。移動ノードにより送られたデータグラムについては、外部エージェントは、登録された移動ノードに対してデフォールトルータとして働く。
【０００５】
ＲＦＣ２００２は、移動ノードがホームから離れている間に移動ノードに送られるデータグラムに対して、移動ノードに向かうトンネルの終了ポイントとして「ケア・オブ・アドレス（ＣＯＡ）」を規定している。プロトコルは、２つの異なる形式のケア・オブ・アドレスを使用することができ、即ち「外部エージェントのケア・オブ・アドレス」は、移動ステーションが登録される外部エージェントにより通知されるアドレスであり、そして「共通位置のケア・オブ・アドレス」は、移動ノードがネットワークにおいて得たところの外部で得られるローカルアドレスである。本明細書においては、「ケア・オブ・アドレス（ＣＯＡ）」は、移動ノードが登録される外部エージェントの通知アドレスである。ＭＮは、同時に多数のＣＯＡを有する。ＭＮのＣＯＡは、そのＨＡに登録される。ＣＯＡのリストは、移動ノードが外部エージェントからアドバータイズメントを受信したときに更新される。アドバータイズメントが終了した場合には、そのエントリー（１つ又は複数）をリストから削除しなければならない。１つの外部エージェントは、２つ以上のＣＯＡをそのアドバータイズメントにおいて与えることができる。「移動結合」とは、ホームアドレスとケア・オブ・アドレスとの関連付けであり、この関連付けの残りの寿命を伴う。ＭＮは、登録要求を送信することによってそのＣＯＡをそのＨＡに登録する。ＨＡは、登録応答で応答し、そしてＭＮに対する結合を保持する。
【０００６】
ＭＮにデータパケットをルート指定することは、ＧＰＲＳのようなパケット無線ネットワークにおいて問題である。というのは、ＭＮのデータネットワークアドレスが、通常、静的なルート指定機構を有し、一方、ＭＮは、あるサブネットワークから別のサブネットワークへローミングできるからである。移動環境においてデータパケットをルート指定するための１つの解決策は、移動ＩＰの概念である。移動ＩＰは、サブネットワークにおけるアタッチメントのポイントに関わりなく、ＩＰデータグラムを移動ホストにルート指定することができる。標準的な移動ＩＰ概念はＧＰＲＳ環境に厳密に適合しない。というのは、ＩＰ以外のネットワークプロトコルもサポートしなければならないからである。又、ＧＰＲＳネットワーク内の移動管理は、移動ＩＰとは異なる機構であって、インターネットプロトコルのみに対して規定された機構をベースとする。
【０００７】
ＧＰＲＳインフラストラクチャーは、ＧＰＲＳゲートウェイサポートノード（ＧＧＳＮ）及びＧＰＲＳサービスサポートノード（ＳＧＳＮ）のようなサポートノードを含む。ＧＧＳＮノードの主たる機能は、外部データネットワークとの相互作用も含む。ＧＧＳＮは、ＭＳの経路に関してＳＧＳＮにより供給されるルート情報を使用して位置ディレクトリーを更新し、そしてカプセル化された外部データネットワークのプロトコルパケットを、ＧＰＲＳバックボーンを経て、ＭＳに現在サービスしているＳＧＳＮにルート指定する。又、これは、外部データネットワークのパケットをカプセル解除して適当なデータネットワークに転送し、そしてデータトラフィックの勘定を処理する。
【０００８】
ＳＧＳＮの主たる機能は、そのサービスエリアにおいて新たなＧＰＲＳ移動ステーションを検出し、新たなＭＳをＧＰＲＳレジスタに登録するプロセスを取り扱い、ＧＰＲＳのＭＳへ／からデータパケットを送信／受信し、そしてそのサービスエリア内でのＭＳの位置の記録を保持することである。契約情報はＧＰＲＳレジスタ（ＨＬＲ）に記憶され、ここには、移動認識（例えば、ＭＳ−ＩＳＤＮ又はＩＭＳＩ）とＰＳＰＤＮのアドレスとの間のマッピングが記憶される。ＧＰＲＳレジスタはデータベースとして働き、ここから、ＳＧＳＮは、そのエリア内の新たなＭＳをＧＰＲＳネットワークに参加させることが許されるかどうか尋ねることができる。
【０００９】
ＧＰＲＳゲートウェイサポートノードＧＧＳＮは、オペレータのＧＰＲＳネットワークを、他のオペレータのＧＰＲＳシステムのような外部システム、ＩＰネットワーク（インターネット）又はＸ．２５ネットワークのようなデータネットワーク１１、及びサービスセンターに接続する。固定ホスト１４は、例えば、ローカルエリアネットワークＬＡＮ及びルータ１５によりデータネットワーク１１に接続することができる。境界ゲートウェイＧＢは、インターオペレータＧＰＲＳバックボーンネットワーク１２にアクセスする。又、ＧＧＳＮは、個人会社のネットワーク又はホストに直接接続することもできる。ＧＧＳＮは、ＧＰＲＳ加入者のＰＤＰアドレス及びルート情報即ちＳＧＳＮアドレスを含む。ルート情報は、データネットワーク１１から、ＭＳの現在交換ポイント、即ちサービスＳＧＳＮへプロトコルデータユニットＰＤＵをトンネル送信するのに使用される。ＳＧＳＮ及びＧＧＳＮの機能は、同じ物理的ノードに接続することができる。
【００１０】
ＧＳＭネットワークのホーム位置レジスタＨＬＲは、ＧＰＲＳ加入者データ及びルート情報を含み、そして加入者のＩＭＳＩを一対以上のＰＤＰ形式及びＰＤＰアドレスにマップする。又、ＨＬＲは、各ＰＤＰ形式及びＰＤＰアドレス対をＧＧＳＮノードへとマップする。ＳＧＳＮは、ＨＬＲへのＧｒインターフェイスを有する（直接的なシグナリング接続か、又は内部バックボーンネットワーク１３を経て）。ローミングするＭＳ及びそのサービスＳＧＳＮのＨＬＲは、異なる移動通信ネットワークにあってもよい。
オペレータのＳＧＳＮ及びＧＧＳＮ装置を相互接続するイントラオペレータバックボーンネットワーク１３は、例えば、ＩＰネットワークのようなローカルネットワークによって実施することができる。又、オペレータのＧＰＲＳネットワークは、例えば、１つのコンピュータに全ての特徴を与えることにより、イントラオペレータバックボーンネットワークなしに実施することもできる。
【００１１】
ＧＰＲＳネットワークは、その現在の形態では、ＭＳが移動ＩＰプロトコルを実施する場合及びＭＳがある会社又はインターネットサービスプロバイダー（ＩＳＰ）により指定されたプライベートＩＰアドレスを有する場合に、ＩＰ移動をサポートすることができる。ＧＧＳＮノードが一時的なＩＰアドレスをＭＳに指定するときには、ＭＳは、この一時的アドレスをそのケア・オブ・アドレス（ＣＯＡ）として使用し、そしてそのアドレスをホームエージェントに登録し、それにより、移動ＩＰサービスから利益を得ることができる。これは、ＭＳが、ＣＯＡともみなされる所定のＧＧＳＮ  ＩＰアドレスを使用するときにも言えることである。
【００１２】
既知のＩＰ移動機構における一時的及び所定のＧＧＳＮ指定のＩＰアドレスに関する問題は、それらが貴重なＩＰｖ４アドレススペースを消費することである。というのは、ＭＳが、１つはそのホームネットワークからそしてもう１つは訪問先ネットワークから、２つのＩＰアドレスを必要とするからである。更に、トンネル動作は、ＩＰパケットが移動ＩＰカプセル化を使用してＭＳに送られることを必要とし、これは、貴重な無線リソースを浪費する。
【００１３】
【発明の開示】
本発明の目的は、公知ＩＰ移動機構に関連した問題を解消するか、又は少なくとも最小にすることである。この目的は、独立請求項の特徴部分に記載した方法及び装置によって達成される。本発明の好ましい実施形態は、従属請求項に記載する。
本発明は、外部エージェントがパケット無線ネットワークのサポートノードに一体化又は合併されるという考え方をベースとする。ＧＰＲＳネットワークでは、適当なサポートノードがゲートウェイノード（ＧＧＳＮ）及びアクセスノード（ＳＧＳＮ）である。いわゆる第３世代（３Ｇ）のシステムでは、ＳＧＳＮは、３Ｇ−ＳＧＳＮノードとも称される。この一体化又は合併は、簡単な物理的共通配置であるだけでなく、より基本的なものであって、ＭＳは、外部エージェントのケア・オブ・アドレスＣＯＡを使用することができる。従って、ＭＳは、訪問先ネットワークから付加的なＩＰアドレスを必要（消費）しない。
【００１４】
基本的な一体化の更に別の効果は、ＩＰパラメータの有効時間(time-to-live)フィールドに関する。ＩＰデータグラムは、そのデータグラムがルータにより新たな行先にルート指定されるか又はホスト（又はＧＧＳＮ）により新たな行先にトンネル送信されるときに１だけ減少される有効時間フィールドを含む。（有効時間フィールドは、ホップカウント又はホップ限界とも称される。）ＭＳがＦＡにより与えられるサービスの知識を得る機構が２つある。ＦＡがアドバータイズメントメッセージを用いてそのサービスを宣言することもできるし、又はＭＳがエージェント懇請メッセージと称する問合せを送信することもできる。これらのアドバータイズメントメッセージ及びエージェント懇請メッセージは、有効時間フィールドが１にセットされた通常のＩＰデータグラムである。ＦＡが個別のネットワーク要素であるか、又は単にサポートノード（ＧＧＳＮ又はＳＧＳＮ）と共通配置されている場合には、サポートノードは、有効時間フィールドをゼロに減少し、次いで、そのデータグラムを破棄し、そしてエージェントアドバータイズメントメッセージ又はエージェント懇請メッセージを受信した際にＩＣＭＰ（インターネットコントロールメッセージプロトコル）エラーメッセージを発生しなければならない。それ故、ＦＡは、データグラムの有効時間計算を妨げないようにして、サポートノードに深く一体化されねばならない。換言すれば、ＦＡは、有効時間フィールドが１にセットされてＦＡにアドレスされたデータグラムを受信するサポートノードがそのデータグラムをＦＡに転送できる場合に、サポートノードに一体化されると言うことができる。
【００１５】
本発明の更に別の効果は、移動ＩＰサポートが、ネットワークオペレータにより提供されるサービスになることである。従って、オペレータは、このサービスに対してユーザに料金を課すこともできる。
ＭＳが既存の移動ＩＰとそのホームエージェントとの結合を保持するために、ＭＳは、接続時間切れの前にそのホームエージェントに登録されねばならない。外部エージェント又はＳＧＳＮ／ＧＧＳＮは、ＭＳに代わって再登録を実行すると考えることができる（エアインターフェイスリソースを節約するために）。しかしながら、これは不可能である。というのは、ＭＳが、それ自身とそのホームエージェントとの間に共用された機密キーを使用することにより登録メッセージを認証するからである。それ故、ＦＡも、ＳＧＳＮ／ＧＧＳＮも、ＭＳに代わって（再）登録を行うことができない。というのは、それらがキーを知らないからである。
本発明の第１の実施形態によれば、外部エージェントがＳＧＳＮノードに一体化される。第２の実施形態によれば、外部エージェントがＧＧＳＮノードに一体化される。
【００１６】
【発明を実施するための最良の形態】
以下、添付図面を参照して、本発明の好ましい実施形態を詳細に説明する。
図１は、アクセスノードと一般に称されるＳＧＳＮ又は３Ｇ  ＳＧＳＮに外部エージェントＦＡが一体化された本発明の第１の実施形態によるＩＰ移動機構を示すブロック図である。ＭＳは、パケット無線イネーブル型セルラー電話に接続されたラップトップコンピュータＰＣである。或いは又、ＭＳは、Ｎｏｋｉａコミュニケータ９０００シリーズに見掛け上類似した小型コンピュータ及びパケット無線電話の一体化組合体でもよい。ＭＳの更に別の例は、種々のページング装置、リモートコントロール、監視及び／又はデータ収集装置、等である。
【００１７】
無線アクセスネットワークＲＡＮは、ＧＰＲＳシステム又はＵＭＴＳのような第３世代（３Ｇ）システムの一部分である。ＲＡＮは、性能上のボトルネックとなるエアインターフェイスＵｍを含む。加入者情報は、ホーム位置レジスタＨＬＲに永久的に記憶される。
ネットワークの全エリアをカバーするために、各アクセスノードＳＧＳＮに外部エージェントＦＡをインストールしなければならない。各ＦＡは、インターネット及びオペレータ自身のプライベートＧＰＲＳ／３ＧバックボーンネットワークにＩＰアドレスを有している。各アクセスノード／ＦＡに対し、ＦＡに向かうトンネル送信を可能にするために、対応ゲートウェイノードＧＧＳＮには永久的なパケットデータコンテクストが存在する。ＭＳとアクセスノード（例えば、層３移動管理Ｌ３−ＭＭ）との間のリンクプロトコルの１つは、ＩＰ移動をサポートするように変更される。
【００１８】
図２について説明する。移動ステーションＭＳのユーザは、特殊な移動ＩＰサービスと契約する。この契約情報は、ユーザのホームＩＰアドレスと共にホーム位置レジスタＨＬＲに記憶される。ＳＧＳＮ／ＦＡとＧＧＳＮとの間には永久的なＧＴＰトンネルがある。このトンネルは、ネットワーク管理によって構成することができる。ステップ２−２では、ＭＳがパケット無線ネットワークにアタッチする。ステップ２−４では、ＭＳのユーザが認証され、これは、ＨＬＲから加入者セキュリティ情報を問合せることを含む。ステップ２−６では、加入者情報は、ＭＳが移動加入者即ち移動ＩＰユーザに関係していることを示す。又、加入者情報は、ユーザのホームアドレスも含む。或いは又、この情報は、ＭＳによりアタッチ要求又はコンテクストアクチベーション要求メッセージにおいて与えられてもよい。アタッチ手順の後に、ステップ２−８において、ＭＳ（又はそのユーザ）は、ＩＰプロトコルに対するＰＤＰコンテクストアクチベーションを開始する。ステップ２−１０では、ＳＧＳＮ／ＦＡが、ＭＳに対するコンテクストを形成する。このコンテクストは、ＭＳのホームアドレス及びそのＩＭＳＩに基づいて形成される。ＰＤＰコンテクストアクチベーション確認メッセージ２−１２では、ＳＧＳＮ／ＦＡがＦＡのＩＰアドレスをＭＳに送信する。ＦＡのＩＰアドレスは、オペレータのＩＰネットワークにトポロジー的に属している。より詳細には、ＦＡのＩＰアドレスは、そのアドレスを行先とするＩＰパケットが、インターネットにおいて、ＦＡに対応する永久的パケットデータコンテクストを有するＧＧＳＮへルート指定されるというものである。確認を受信すると、ステップ２−１４において、ＭＳは、移動ＩＰ登録要求メッセージをＳＧＳＮ／ＦＡへ送信することにより、ホームエージェントＨＡへの移動ＩＰ登録を開始する。ＭＳからＦＡへのメッセージは、ＬＬＣ（論理的リンク制御）又はＳＮＤＣＰ（サブネットワーク従属収斂プロトコル）層において送信することができる。又、これは、変形Ｌ３−ＭＭの一部分であってもよい。ＳＧＳＮ／ＦＡ内では、メッセージがＦＡ区分に送られる（ＳＧＳＮとＦＡとの間でのＩＰルート指定も有効時間の計算も含まない）。次いで、ステップ２−１６において、ＦＡは、登録要求をＨＡに中継する（例えば、ＵＤＰ／ＩＰ、ＵＤＰ＝ユーザデータグラムプロトコルを用いて）。ステップ２−１８では、ＨＡが登録応答をＦＡに送信し、ＦＡは、ステップ２−２０において、最終的にそれをＭＳに転送する。ステップ２−２０の後に、ＳＧＳＮ／ＦＡからＨＡへの移動ＩＰトンネルが生じる。移動ＩＰの特定の実施形態が逆方向トンネルを使用する場合には、逆方向にもトンネルが存在する。
【００１９】
図３に示す本発明の第２の実施形態では、外部エージェントＦＡは、ゲートウェイノードと一般に称されるＧＧＳＮに一体化される。この場合、ＭＳは、ゲートウェイノードにおけるＦＡのアドレスをそのＣＯＡとして使用する。移動結合を確立するために、ＭＳは、アクセスノード（ＳＧＳＮ）に付加的な情報を送信しなければならない。この付加的な情報のために、選択されたゲートウェイノードは、受信したＩＰアドレスが有効であるが、それがこの特定のゲートウェイノードに属していないことを知る。ゲートウェイノードは、ＭＳからの登録メッセージを検出し、そしてそれを処理のためにＦＡユニットに送信する。更に、ゲートウェイノードＧＧＳＮ／ＳＧＳＮは、ＭＳからのいかなるＩＰアドレスも受け入れ、そしてＦＡのアドレスをＭＳのＣＯＡとして使用することができる。
【００２０】
付加的な情報の実際の例として、アクセスポイント名（ＡＰＮ）を使用することができる。このＡＰＮは、オペレータの名前及び移動ＩＰアドレスを指示することができる。これは、ＭＳがアクセスノードに送信しそしてアクセスノードがゲートウェイノードに送信する論理的な名前である。アクセスノードは、ＡＰＮを使用して特定のゲートウェイノードを選択し、次いで、ゲートウェイノードは、それを用いて特定のＩＳＰを選択する。従って、ＡＰＮは、特定のゲートウェイノードのサービスを要求するのに使用される。
【００２１】
図４は、本発明の第２の実施形態を示すシグナリング図である。図２の場合と同じ参照番号を有するシグナリングステップは、同じ機能を有し、それらは再び説明しない。図２及び４に示す実施形態の間の主たる相違は、当然、図４では、ＦＡがＳＧＳＮではなくＧＧＳＮに一体化されることである。それ故、ステップ４−１１では、ＳＧＳＮがＦＡ問合せをＧＧＳＮ＋ＦＡに送信する。この問合せは、ステップ４−１１’で確認される。ステップ４−１４ないし４−２０は、各ステップ２−１４ないし２−２０に対応するが、それらは、ＳＧＳＮではなく、ＧＧＳＮへ／から送られる。同様に、移動ＩＰトンネルは、ＧＧＳＮ＋ＦＡからＨＡへ確立され、そして逆方向にも実施することができる。
以上、本発明の好ましい実施形態を詳細に説明した。しかしながら、本発明は、これらの例や、使用した用語に限定されるものではなく、請求の範囲内で種々の変更がなされ得るものである。
【図面の簡単な説明】
【図１】  本発明の第１の実施形態によるＩＰ移動機構を示すブロック図である。
【図２】  本発明の第１の実施形態によるＩＰ移動機構を示すシグナリング図である。
【図３】  本発明の第２の実施形態によるＩＰ移動機構を示すブロック図である。
【図４】  本発明の第２の実施形態によるＩＰ移動機構を示すシグナリング図である。
【図１】
0004418590.tif 000002
【図２】
0004418590.tif 000003
【図３】
0004418590.tif 000004
【図４】
0004418590.tif 000005